(57)【要約】【課題】意図しない外力に対して分解しにくく小型化が可能な電子機器を提供すること【解決手段】スピーカー５０を収納する前カバー１６と後カバー１７を有するデジタルカメラ１０は、係合部３７ａ、３７ｂを有し、前カバーに固定される係合部材３０と、係合部３７ａ、３７ｂと係合及び係合解除が可能な係合部４８ａ、４８ｂを有し、後カバーに固定される係合部材４０と、スピーカーに固定されて共鳴空間５４ｃを形成し、係合部３７ａ、３７ｂにこれらの係合部の係合を維持するように弾性力を加える弾性部材５４と、を有する。【選択図】図５
2012034256.tif 000002
【特許請求の範囲】
【請求項１】
第１の外装カバーと第２の外装カバーを有する電子機器であって、
第１の係合部が形成され、第１の外装カバーの内側に固定される第１の係合部材と、
前記第１の係合部と係合及び係合解除が可能な第２の係合部が形成され、第２の外装カバーの内側に固定される第２の係合部材と、
前記第１の外装カバーまたは前記第２の外装カバーの内側に配置される音響部品と、
前記音響部品に固定されて前記音響部品の共鳴空間を形成するとともに、前記第１の係合部と前記第２の係合部に対して前記第１の係合部と前記第２の係合部の係合を維持する方向の弾性力を与える弾性部材と、
を有することを特徴とする電子機器。
【請求項２】
前記弾性部材には、前記共鳴空間を形成するための共鳴空間形成部と、共鳴空間形成部の外側に形成される付勢部を有し、前記付勢部が前記第１の係合部と前記第２の係合部の一方に弾性力を加えることを特徴とする請求項１に記載の電子機器。
【請求項３】
前記電子機器には、前記付勢部と接触する受け部が形成され、前記受け部が前記付勢部と接触することで、前記付勢部は前記第１の係合部と前記第２の係合部の一方に対して前記第１の係合部と前記第２の係合部の係合を維持する方向の弾性力を与えることを特徴とする請求項２に記載の電子機器。
【発明の詳細な説明】
【技術分野】
【０００１】
本発明は、電子機器に関する。
【背景技術】
【０００２】
デジタルカメラなどの電子機器（光学機器）は、一般に、電子部品を収納する複数の（外装）カバーを係合することによって構成されている。特許文献１は、意図しない外力に対して蓋の可動係合片と本体の固定係合片が係合解除しないように、可動係合片が突設された面と同一の面にリブを設ける構造を提案している。
【先行技術文献】
【特許文献】
【０００３】
【特許文献１】特開平９−１４４７１８号公報
【発明の概要】
【発明が解決しようとする課題】
【０００４】
しかしながら、特許文献１はリブを設けるスペースが必要となり筐体が大型になる。また、意図的に係合を解除する場合に必ず可動係合片が係合量より大きく弾性変形しなければならず、この弾性変形に必要な可動領域を確保することも小型化の妨げとなる。
【０００５】
本発明は、意図しない外力に対して分解しにくく小型化が可能な電子機器を提供することを目的とする。
【課題を解決するための手段】
【０００６】
本発明は、第１の外装カバーと第２の外装カバーを有する電子機器であって、第１の係合部が形成され、第１の外装カバーの内側に固定される第１の係合部材と、前記第１の係合部と係合及び係合解除が可能な第２の係合部が形成され、第２の外装カバーの内側に固定される第２の係合部材と、前記第１の外装カバーまたは前記第２の外装カバーの内側に配置される音響部品と、前記音響部品に固定されて前記音響部品の共鳴空間を形成するとともに、前記第１の係合部と前記第２の係合部に対して前記第１の係合部と前記第２の係合部の係合を維持する方向の弾性力を与える弾性部材とを有することを特徴とする。
【発明の効果】
【０００７】
本発明は、意図しない外力に対して分解しにくく小型化が可能な電子機器を提供することができる。
【図面の簡単な説明】
【０００８】
【図１】図１（ａ）は、本実施例のデジタルカメラの斜視図であり、図１（ｂ）はその分解斜視図である。
【図２】図２（ａ）は、図１（ａ）のデジタルカメラに使用される第一の係合部材と第二の係合部材の係合状態の斜視図であり、図２（ｂ）は、その分解斜視図である。
【図３】図３（ａ）は、後カバーと係合部材の分解斜視図であり、図３（ｂ）は、前カバーに固定された係合部材と後カバーに固定された係合部材の分解平面図である。
【図４】図４（ａ）及び図４（ｂ）は、図１（ｂ）に示すカメラアッセンブリの拡大部分分解斜視図である。
【図５】係合部材と弾性部材の位置関係を説明する斜視図である。
【図６】図６（ａ）は図１（ａ）に示すデジタルカメラの上面図、図６（ｂ）は図６（ａ）の拡大部分ＡＡ断面図、図６（ｃ）は図６（ａ）の拡大部分ＢＢ断面図である。
【発明を実施するための形態】
【０００９】
図１（ａ）は、本実施例のデジタルカメラ１０（撮像装置または電子機器）の斜視図であり、図１（ｂ）はデジタルカメラ１０の分解斜視図である。デジタルカメラ１０は、図１（ａ）に示すように、上面に電源ボタン１１、レリーズボタン１２、レリーズボタン１２の中心軸を回転軸とするズームレバー１３、モードスイッチ１４を有する。図１（ａ）においてＸ方向はデジタルカメラ１０の長さ方向である。
【００１０】
また、デジタルカメラ１０は、図１（ｂ）に示すように、カメラアッセンブリ１５と、それを収納する前カバー（第１の外装カバー）１６と後カバー（第２の外装カバー）１７を有する。このように、デジタルカメラ１０は、複数のカバー（前カバー１６と後カバー１７）を有する筺体を有する。カメラアッセンブリ１５は、鏡筒ユニット１８、ストロボユニット１９、電池ボックスユニット２０を有し、これらのユニットは締結された状態になっている。カメラアッセンブリ１５は、後述するようにスピーカー５０などの音響部品と音響部品の共鳴空間５４ｃを形成する弾性部材５４を有する。
【００１１】
前カバー１６と後カバー１７は、前カバー１６の内側に固定されている係合部材３０と後カバー１７の内側に固定されている係合部材４０とが係合することで、一体化されている。図２（ａ）は、係合部材３０と係合部材４０との係合状態を表側から見た斜視図であり、図２（ｂ）は、係合部材３０と係合部材４０との係合を解除した状態を表側から見た斜視図である。図３（ａ）は、後カバー１７と係合部材４０を裏側から見た分解斜視図である。図３（ｂ）は、前カバー１６に固定された係合部材３０と後カバー１７に固定された係合部材４０を裏側から見た分解平面図である。
【００１２】
図２（ｂ）に示すように、係合部材（第１の係合部材）３０は、コの字形状を有し、ほぼ一定の幅を有して直線状に延びる本体部３１と、本体部３１の長手方向に対して垂直に延びて同一の幅を有する弾性変形が可能な一対の腕部３５ａ，３５ｂを有する。なお、一対の腕部３５ａ，３５ｂは本体部３１からほぼ平行に延びており、その間には後述するように、スピーカー５０と共鳴空間５４ａが配置される。
【００１３】
本体部３１は、図３（ｂ）に示すように、前カバー１６の固定部１６ａに固定され、本体部３１の長手方向は前カバー１６の固定部１６ａの延びる方向（図１に示すＸ方向）に対応している。本体部３１の腕部３５ａ，３５ｂが延出されている部分には一対の貫通孔（カシメ穴）３２ａ，３２ｂが形成されている。貫通孔３２ａ，３２ｂには、図３（ｂ）に示すように、前カバー１６の固定部１６ａに形成された突起（ダボ）１６ｂがそれぞれカシメ固定される。貫通孔３２ａは円形状の穴である。貫通孔３２ｂは貫通孔３２ａよりも本体部３１の長手方向に若干長く形成されたほぼ楕円形上の穴であり、この方向の製造誤差を吸収することができる。
【００１４】
腕部３５ａの先端には貫通孔３６ａと係合部３７ａが形成され、腕部３５ｂの先端には貫通孔３６ｂと係合部３７ｂが形成されている。貫通孔３６ａ，３６ｂは同一形状の長方形形状の穴であり、後述する係合部４８ａ，４８ｂが挿入可能である。貫通孔３６ａ，３６ｂよりも先端側に係合部（第１の係合部）３７ａ，３７ｂが形成されている。係合部３７ａ，３７ｂは、それぞれ矢印Ｕ１，Ｕ２の方向に突出した爪形状（三角柱形状）を有し、後述する貫通孔４７ａ，４７ｂに挿入可能である。
【００１５】
図２（ｂ）に示すように、係合部材（第２の係合部材）４０は、コの字形状を有し、ほぼ一定の幅を有して直線状に延びる本体部４１と、本体部４１の長手方向に対して垂直に延びて同一の幅を有する一対の弾性変形可能な腕部４５ａ，４５ｂを有する。なお、一対の腕部４５ａ，４５ｂは本体部４１からほぼ平行に延びており、その間には後述するように、スピーカー５０と共鳴空間５４ａが配置される。
【００１６】
本体部４１は、図３（ａ）に示すように、一対の腕部４５ａ，４５ｂに対して上方に折れ曲がった形状を有する。本体部４１は、後カバー１７の固定部１７ａに固定され、本体部４１の長手方向は後カバー１７の固定部１７ａの延びる方向（図１に示すＸ方向）に対応している。
【００１７】
腕部４５ａの根元には貫通孔（カシメ穴）４６ａが形成され、腕部４５ａの先端には貫通孔４７ａと係合部４８ａが形成されている。腕部４５ｂの根元には貫通孔（カシメ穴）４６ｂが形成され、腕部４５ｂの先端には貫通孔４７ｂと係合部４８ｂが形成されている。
【００１８】
一対の貫通孔４６ａ，４６ｂには、図３（ｂ）に示すように、後カバー１７の固定部１７ａに形成された突起（ダボ）１７ｂがそれぞれカシメ固定される。貫通孔４６ａは円形状の穴である。貫通孔４６ｂは貫通孔４６ａよりも本体部４１の長手方向に若干長く形成されたほぼ楕円形上の穴であり、この方向の製造誤差を吸収することができる。
【００１９】
貫通孔４７ａ，４７ｂは同一形状の長方形形状の穴であり、貫通孔４７ａ，４７ｂには係合部３７ａ，３７ｂが挿入可能である。貫通孔４７ａ，４７ｂよりも先端側に係合部（第２の係合部）４８ａ，４８ｂが形成されている。係合部４８ａ，４８ｂは、矢印Ｕ１、Ｕ２とは逆方向に突出した爪形状（円筒面形状）を有し、貫通孔３６ａ，３６ｂに挿入可能である。係合部４８ａは係合部３７ａとに対して係合及び係合解除が可能であり、係合部４８ｂは係合部３７ｂとに対して係合及び係合解除が可能である。
【００２０】
図２（ａ）は、係合部３７ａ，３７ｂが貫通孔４７ａ，４７ｂにそれぞれ挿入され、係合部４８ａ，４８ｂが貫通孔３６ａ，３６ｂにそれぞれ挿入された状態を示している。この状態では、係合部３７ａと係合部４８ａとそれぞれの端部において係合し、係合部３７ｂと係合部４８ｂとはそれぞれの端部において係合し、腕部３５ａ，３５ｂは弾性変形する。
【００２１】
なお、係合部材３０，４０と外装部材（前カバー１６と後カバー１７）の固定方法はカシメに限定されず、接着や溶接などであってもよい。また、係合部材３０，４０は外装部材と一体であってもよい。
【００２２】
図２（ａ）に示す状態では、図３（ｂ）に示す前カバー１６の端面１６ｃと後カバー１７の端面１７ｃが接触して一体となる。このように、複数に分割されたカバーを端面で当接させ一体化しカメラアッセンブリ１５を保護する。係合部材は各カバーの複数箇所に設けられてもよい。腕部３５ａが係合部３７ａ，３７ｂの突出方向とは逆に弾性変形することで前カバー１６は後カバー１７から外れる。これにより、外装部材の取り付け、取り外しの作業が可能となる。
【００２３】
本実施例では、係合部４８ａと係合部３７ａの係合量と係合部４８ｂと係合部３７ｂの係合量を小さくして省スペース化を図っている。その一方、意図しない外力によってこれらの係合部の係合が解除されないように係合状態を維持する機能（係合解除を困難にする機能）を以下に説明する弾性部材５４に設けている。
【００２４】
図４（ａ）は、カメラアッセンブリ１５におけるスピーカー５０の近傍の部分分解斜視図である。ストロボユニット１９の一部であるストロボカバー５１にスピーカー５０が固定される。スピーカー５０の上面にはリング状の両面テープ５３が貼られている。両面テープ５３により弾性部材５４が固定されている。弾性部材５４は後カバー１７との隙間を埋めるために設けられ、ウレタンフォームなどのゴム材料から構成される。弾性部材５４は、中空の円盤部の両端が張り出した形状（Φ字形状）を有し、中空の円盤部は共鳴空間５４ｃを形成する共鳴空間形成部として機能する。また、円盤部の両端から張り出した張出部は後述するように付勢部５４ａ，５４ｂとして機能する。このように、付勢部５４ａ，５４ｂは共鳴空間５４ｃの外側に配置され、付勢部５４ａ，５４ｂが整列される方向は図１（ａ）のＸ方向に平行である。
【００２５】
図４（ｂ）は、スピーカー５０と弾性部材５４の斜視図である。共鳴空間５４ｃが後カバー１７とスピーカー５０の間に形成されることによりスピーカー５０から発せられる音が後カバー１７に空いた音孔１７ｄを通して聞こえる。また、弾性部材５４の下面の共鳴空間５４ｃの周囲の環状面はスピーカー５０に固定される被固定部である。
【００２６】
共鳴空間５４ｃの周囲には、係合部３７ａ，３７ｂと係合部４８ａと４８ｂの係合を維持するように係合部材３０の係合部３７ａ，３７ｂを付勢する付勢部５４ａと５４ｂがある。なお、弾性部材５４は、係合部３７ａ，３７ｂと係合部４８ａ、４８ｂの一方に弾性力を加えれば足りる。
【００２７】
付勢部５４ａ，５４ｂは、係合部３７ａ，３７ｂとストロボカバー５１における受け部５１ａ，５１ｂの間で圧縮されることで係合部３７ａ，３７ｂを付勢する。受け部５１ａ，５１ｂはスピーカー５０が搭載されるストロボカバー５１と同じ高さであってもよいし、これよりも若干高くてもよい。
【００２８】
図５は、図１（ａ）に示すカメラアッセンブリ１５に前カバー１６および後カバー１７を組み付けた状態において、係合部材３０、係合部材４０および弾性部材５４の位置関係を説明する図である。図５は図１（ａ）に示すカメラアッセンブリ１５に前カバー１６および後カバー１７を組み付けた状態であるので、係合部材３０および係合部材４０は互いに係合した状態となっている。これは、図２（ａ）に示す状態と同様に、係合部３７ａ，３７ｂが貫通孔４７ａ，４７ｂにそれぞれ挿入され、係合部４８ａ，４８ｂが貫通孔３６ａ，３６ｂにそれぞれ挿入された状態となっている。そして、弾性部材５４の付勢部５４ａは、貫通孔４７ａと係合部３７ａとの係合および貫通孔３６ａと係合部４８ａとの係合を維持する方向の弾性力を与えている。同様に、弾性部材５４の付勢部５４ｂは、貫通孔４７ｂと係合部３７ｂとの係合および貫通孔３６ｂと係合部４８ｂとの係合を維持する方向の弾性力を与えている。  図６（ａ）は、図１（ａ）に示すデジタルカメラ１０の上面図である。図６（ｂ）は、図６（ａ）におけるＡ−Ａ断面の部分拡大図である。図６（ｂ）に示すように、弾性部材５４によりスピーカー５０と後カバー１７の間に共鳴空間５４ｃが設けられる。後カバー１７の音孔１７ｄが共鳴空間５４ｃと接続されており、スピーカー５０の音がユーザーに聞こえる。
【００２９】
図６（ｂ）に示すように、スピーカー５０の中央付近でみるとスピーカー５０の上において弾性部材５４は、スピーカー５０と後カバー１７の間で圧縮されている。弾性部材５４の圧縮によりスピーカー５０から発せられる音が漏れることなく音孔１７ｄから聞こえる。また、共鳴空間５４ｃを確保することにより音質も向上する。
【００３０】
図６（ｃ）は、図６（ａ）におけるＢ−Ｂ断面の部分拡大図である。図６（ｃ）に示すように、後カバー１７には係合部材４０の貫通孔４６ｂに挿入されるダボ１７ｂが設けられ、前カバー１６には係合部材３０の貫通孔３２ｂに挿入されるダボ１６ｂが設けられている。また、係合部３７ｂは係合部４８ｂと係合している。
【００３１】
弾性部材５４の一部は、係合部材４０のコの字の略中央付近を付勢し、後カバー１７に固定されている係合部材４０を外力に対して撓みにくくしている。その結果、係合部３７ａ、３７ｂと係合部４８ａ、４８ｂの係合量が少なくても係合部材４０が撓まないため、強固に係合できる。
【００３２】
また、弾性部材５４の付勢部５４ａは受け部５１ａに接触し、係合部３７ｂと４８ｂとの係合箇所Ｍと受け部５１ａとの間で圧縮されることで係合部の係合量を増やさなくとも係合箇所Ｍの係合が容易に外れることを防止している。
【００３３】
この際、弾性部材５４において、共鳴空間５４ｃと付勢部５４ａ、５４ｂで異なる圧縮状態となるが、付勢部５４ａと５４ｂは共鳴空間５４ｃとは独立した形状のため、共鳴空間５４ｃの周囲は均一な圧縮状態となる。カバー部材の取り付け、取り外しの際には係合部３７ｂと係合部４８ｂの係合量より多く付勢部５４ａが弾性変形することで係合が外れるため、取り付け、取り外しの作業を容易とすることが可能となる。なお、本実施例では音響部品としてスピーカー５０としたが、マイクロフォンでもよい。
【００３４】
以上、前カバー１６に固定された係合部材３０の係合部３７ａ、３７ｂと後カバー１７に固定された係合部材４０の係合部４８ａと４８ｂの係合を維持するように、弾性部材５４は係合部３７ａ、３７ｂを付勢する付勢部５４ａ、５４ｂを有する。よって少ない係合量であっても、意図しない外力に対して容易にカバーが外れてしまうことを防止することができる。
【産業上の利用可能性】
【００３５】
音響部品を有する電子機器は、スピーカーやマイクロフォンを有する電子機器に適用することができる。
【符号の説明】
【００３６】
１０                              デジタルカメラ（電子機器）
１６                              前カバー（第１のカバー）
１７                              後カバー（第２のカバー）
３０、４０                        係合部材（第１の係合部材、第２の係合部材）
３７ａ、３７ｂ、４８ａ、４８ｂ    係合部（第１の係合部、第２の係合部）
５０                              スピーカー（音響部品）
５４                              弾性部材
５４ａ、５４ｂ                    付勢部
５４ｃ                            共鳴空間
【図１】
2012034256.tif 000003
【図２】
2012034256.tif 000004
【図３】
2012034256.tif 000005
【図４】
2012034256.tif 000006
【図５】
2012034256.tif 000007
【図６】
2012034256.tif 000008